(57)【要約】【要  約】【課  題】  線材熱処理ラインに適用して、迅速にかつ均一に所定の加熱温度に再加熱することが可能なリング状線材の加熱装置および加熱方法を提供する。【解決手段】  リング状線材の周囲に発生させる交番磁界の方向が異なる少なくとも２つ以上の誘導コイルを、リング状線材の搬送方向に連設した加熱装置およびそれを用いたリング状線材の加熱方法。【選択図】        図３
2005120434.tif 000002
【特許請求の範囲】
【請求項１】
搬送されるリング状線材の周囲に誘導コイルにより交番磁界を発生させて、前記リング状線材を加熱するリング状線材の加熱装置であって、
リング状線材の周囲に発生させる交番磁界の方向が異なる少なくとも２つ以上の誘導コイルを、前記リング状線材の搬送方向に連設したことを特徴とするリング状線材の加熱装置。
【請求項２】
搬送されるリング状線材の周囲に交番磁界を発生させて、前記リング状線材を誘導加熱する方法であって、
前記リング状線材に対して一定の磁界方向を有する第１の交番磁界中を通過させた後、前記第１の交番磁界とは磁界方向が異なる第２の交番磁界中を通過させて、前記リング状線材を誘導加熱することを特徴とするリング状線材の加熱方法。
【発明の詳細な説明】
【技術分野】
【０００１】
本発明は、線材熱処理ラインに適用して、迅速に且つ均一に所定の加熱温度に再加熱することができるリング状線材の加熱装置および加熱方法に関する。
【背景技術】
【０００２】
鋼線材は、熱間圧延等により所定の径に加工された後、一般に巻取装置により図８（ａ）、（ｂ）に示す如くリング状に巻き取られ、この形状のまま搬送コンベアにより集束装置の設置位置に搬送され、図９（ａ）に示す如くコイル状に集束されて製造されている。図９（ａ）中、符号Ｄは、集束装置により集束されたコイル状線材Ｍのコイル径を示し、符号ｄは、線材の直径を示す。
【０００３】
このような過程で製造される線材は、一般に、仕上圧延機により所定の仕上温度範囲内、減面率で仕上圧延され、その後水冷帯で所定温度に冷却され、引き続き、搬送コンベア上において所定の熱処理を受ける。例えば、搬送コンベア上においてリング状に巻き取られた線材には、放冷もしくは衝風、或いは冷却水により冷却する熱処理や、搬送コンベアを保熱カバーで覆って冷却速度を遅くする熱処理が施されている。
【０００４】
このような熱処理を施された鋼線材の冷間加工性は、例えば、高圧縮率で冷間加工される部品に対しては必ずしも十分なものではない。そこで、冷間鍛造性に優れた線材とするには、その後、線材圧延ラインと別設されたオフライン熱処理設備に運び、コイル状熱間圧延線材Ｍに対して炭化物の球状化焼鈍または軟化焼鈍を行って製造されていた。このため、効率が悪く、冷間鍛造性に優れた線材を効率的に製造できる線材熱処理ラインが必要とされていた。
【０００５】
ところで、冷間鍛造性に優れた線材を線材圧延ラインで製造するには、仕上圧延され、その後、水冷帯で所定温度にまで冷却されたリング状の線材をインラインで所定の加熱温度に再加熱し、所定の加熱温度に到達させてから緩冷却することが有効である。これを実現するのには、迅速に且つ均一に所定の加熱温度に再加熱することができるリング状熱間圧延線材の加熱装置と加熱方法が必要である。
【０００６】
ここで、搬送コンベア上を搬送されるリング状の線材の形状について説明する。巻取装置により巻き取られた線材形状は、代表例を図８（ａ）に例示した如く、巻取装置が線材を１巻する毎に線材の位置が移送方向に所定量だけずれることにより形成される。例えば、巻取装置の最初の２巻では、図８（ｂ）に示す如く、１巻目においてＬ０〜Ｌ１の線材により、Ｌ０とＬ１間が移送方向に所定量だけずれたリングが形成され、２巻目においてＬ１〜Ｌ２の線材により、Ｌ１とＬ２間が移送方向にずれているリングが形成される。
【０００７】
図８（ｂ）中、符号Ｐ１、Ｐ２、は、移送方向にずれているリング同士が交差し、重なっている部分である。
【０００８】
このように巻取装置により巻き取られた線材を、以下、リング状線材Ｌともいうが、リング状線材Ｌは、搬送コンベア上を搬送さているうえに、上述したとおり、リング同士が重なっている部分を有しているので、均一に且つ迅速に再加熱することが困難である。
【０００９】
これに対して、熱処理の自由度を格段に拡大させた熱処理ラインが特許文献１に示されている。特許文献１に記載の熱間圧延線材の熱処理ラインは、電気ヒータやラジアントチューブなどを有する保熱カバーで搬送コンベアを覆うことにより、リング状熱間圧延線材Ｌの冷却速度を遅くできるように構成されている。
【特許文献１】特開２０００−３４５２４４号公報
【発明の開示】
【発明が解決しようとする課題】
【００１０】
しかしながら、上記特許文献１に記載の線材の熱処理ラインは、リング状線材Ｌを所定の加熱温度に再加熱しようとすると、電気ヒータやラジアントチューブなどを有する保熱カバーを用いているから、加熱温度に到達するまでに長時間かかるという問題があった。
【００１１】
また、特許文献１に記載の線材の熱処理ラインは、電気ヒータやラジアントチューブなどを有する保熱カバーを用いているため、リング同士が重なっている部分を有しているリング状熱間圧延線材Ｌを短時間に且つ均一に所定の加熱温度に再加熱するのが困難であるという欠点があった。
【００１２】
また、特許文献１に記載の線材の熱処理ラインは、リング状線材Ｌを再加熱するに際し、所定の加熱温度に到達するまでに時間がかかり、加熱時間に見合った長さの搬送コンベアが必要となるため、ラインが長大となるという問題もあった。
【００１３】
本発明は、上記従来技術の問題点を解決するものであり、線材熱処理ラインに適用して、迅速にかつ均一に所定の加熱温度に再加熱することが可能なリング状線材の加熱装置および加熱方法を提供することを目的とする。
【課題を解決するための手段】
【００１４】
（１）搬送されるリング状線材の周囲に誘導コイルにより交番磁界を発生させて、前記リング状線材を加熱するリング状線材の加熱装置であって、リング状線材の周囲に発生させる交番磁界の方向が異なる少なくとも２つ以上の誘導コイルを、前記リング状線材の搬送方向に連設したことを特徴とするリング状線材の加熱装置である。
（２）搬送されるリング状線材の周囲に交番磁界を発生させて、前記リング状線材を誘導加熱する方法であって、前記リング状線材に対して一定の磁界方向を有する第１の交番磁界中を通過させた後、前記第１の交番磁界とは磁界方向が異なる第２の交番磁界中を通過させて、前記リング状線材を誘導加熱することを特徴とするリング状線材の加熱方法である。
【発明の効果】
【００１５】
本発明によれば、線材熱処理ラインにおいて、迅速にかつ均一に所定の加熱温度に再加熱することができる。このため、本発明を適用した線材熱処理ラインにおいて、熱間圧延線材の炭化物の球状化焼鈍または軟化焼鈍を行うことができ、冷間鍛造性に優れた熱間圧延線材を効率よく製造することが可能である。
【発明を実施するための最良の形態】
【００１６】
以下、図面を用いて本発明の実施例の形態について説明する。
【００１７】
図１は、本発明の実施例の形態に係るリング状熱間圧延線材の加熱装置を適用した線材熱処理ラインの説明図であり、図２は、図１に示す線材熱処理ラインの要部を示す縦断面模式図である。図３〜５は、本発明の実施例の形態に係るリング状熱間圧延線材の加熱装置の構成を示す概略図である。
先ず、本発明を適用した線材熱処理ラインについて図を用いて説明する。
この本発明を適用した線材熱処理ラインは、図１、図２において、符号を付した装置を使用するラインである。すなわち、仕上圧延機１、冷却帯２、巻取装置３、搬送装置としての搬送コンベア４、加熱装置５、集束装置６、およびトラバース装置７、トンネル型徐冷炉８、取り出し室９を使用する。
この線材熱処理ラインにおいては、仕上圧延機１で仕上圧延され、冷却帯２により所定の温度に水冷された熱間圧延線材を巻取装置３によりリング状に巻き取った後、リング状熱間圧延線材Ｌを搬送コンベア４で搬送しつつ、加熱装置５により所定の加熱温度に再加熱し、第１の集束装置６により集束してコイル状熱間圧延線材Ｍとする。引き続き、この線材熱処理ラインでは、コイル状熱間圧延線材Ｍを第１の集束装置６に連設したトンネル型徐冷炉８を通過させる。このようなライン構成とすることで、加熱装置５により所定の加熱温度に再加熱されたコイル状熱間圧延線材を０．５℃／秒以下の冷却速度で徐冷できる。
仕上圧延機１は、供給された中間素材に所望の減面率、所定の温度範囲で仕上圧延を施して、冷却帯２に仕上圧延された熱間圧延線材を送給可能に構成され、また、冷却帯２は、仕上圧延された熱間圧延線材を水冷あるいは空冷により効率よく冷却し、仕上圧延された熱間圧延線材の温度を該鋼のＡr1変態点以下の温度に冷却することができる。所定の温度に冷却された熱間圧延線材は、巻取装置３に送給される。巻取装置３は、レイングヘッドを有し、所定の温度に冷却された熱間圧延線材を巻き取って、リング状熱間圧延線材Ｌとすることができる。搬送コンベア４は、搬送ローラ４Ａを有し、巻取装置３によって巻き取られ、リング状熱間圧延線材Ｌを集束装置６まで搬送可能に構成されている。加熱装置５については後述する。
また、トラバース装置７は、コイル状熱間圧延線材を集束装置６の位置からトンネル型徐冷炉８の入側位置へ搬送する、例えば、搬送台車などを有する装置とされている。トンネル型徐冷炉８は、入口、出口の遮蔽扉と、上、下の複数箇所に設置されたラジアントチューブと、回転可能な複数の循環ファンよび複数の搬送ローラを有するものとすることができる。図１、図２中、符号Ｍ１、Ｍ２、Ｍ３、Ｍ４…Ｍｎは、各過程でのコイル状熱間圧延線材を示す。
【００１８】
ここで、符号４Ａは、巻取装置３から集束装置６までの間に配置された搬送ローラを示す。リング状熱間圧延線材Ｌは、搬送ローラ４Ａにより搬送されながら、加熱装置５により所定の加熱温度に再加熱される。
【００１９】
図３を用いて、本発明の実施例の形態に係るリング状熱間圧延線材の加熱装置５について説明する。
【００２０】
図中、符号５Ａは一方側の誘導コイル、５Ｂは他方側の誘導コイル（５Ｂ１，５Ｂ２）を示し、また、符号Ｓ１、Ｓ２、Ｔ１、Ｔ２、Ｕ１、Ｕ２はそれぞれの誘導コイルのコイル端を示す。この場合、移送方向上流側を一方側とし、ソレノイド型誘導コイル５Ａを配置し、他方側には、一対のコの字状誘導コイル５Ｂ１、５Ｂ２をリング状熱間圧延線材Ｌの仮想中心線41を挟んで線対称に配置し、対称コの字状誘導コイル５Ｂとした。図３中、Ｄ’は、リング状熱間圧延線材Ｌの移送幅を示す。また、図４（ａ）、図５（ａ）に示す如く、一方側の誘導コイル５Ａのコイル端Ｓ１、Ｓ２は、交流電源２１に接続され、他方側の誘導コイル５Ｂ（５Ｂ１，５Ｂ２）は、交流電源２２に接続されている。
【００２１】
なお、図４（ａ）中、符号４２は、一方側のソレノイド型誘導コイル５Ａが発生する磁界方向を示し、図５（ａ）中、符号４３は、他方側の対称コの字状誘導コイル５Ｂが発生する磁界方向を示す。
【００２２】
本発明の実施例の形態に係るリング状線材の加熱装置は、図３に示す如く、移送方向に隣接して配置された一方側の誘導コイル５Ａと、他方側の誘導コイル５Ｂ（５Ｂ１，５Ｂ２）を有する。
【００２３】
ソレノイド型誘導コイル５Ａは、導線を曲げてコイル内をリング状熱間圧延線材Ｌが通過可能なように成形したもので、図５（ａ）に示す如く、導線が、リング状熱間圧延線材Ｌの上方および下方の面上で、移送方向に対して直角となるように巻いてある。
【００２４】
そこで、一方側のソレノイド型誘導コイル５Ａの内部で発生する磁界方向４２は、リング状熱間圧延線材Ｌの移送方向に平行となる。
【００２５】
これに対して、他方側の誘導コイル５Ｂの発生する磁界方向43は、リング状熱間圧延線材Ｌの周囲で、移送方向に対して９０°となることを以下に説明する。
【００２６】
対称コの字状誘導コイル５Ｂを構成する一対のコイル５Ｂ１，５Ｂ２はそれぞれ、図４、図６に示す如く、導線がリング状熱間圧延線材Ｌに対して上方の面上で逐次、移送方向と直角な方向、移送方向、移送方向と直角な方向と折り曲げられた後、下方の面に向けて折り曲げられ、下方の面上で上記と同様、逐次、移送方向と直角な方向、移送方向、移送方向と直角な方向と折り曲げられ、さらに上記の折り曲げが繰り返され、リング状熱間圧延線材Ｌの移送方向には一部を、リング状熱間圧延線材Ｌの移送方向と直角な方向（移送幅方向）には、リング状熱間圧延線材Ｌの略半分を覆うように形成されたコイルであり、一対のコイル５Ｂ１，５Ｂ２によりリング状熱間圧延線材Ｌの移送幅全面を覆っている。
【００２７】
上述した一対のコの字状誘導コイル５Ｂ１、５Ｂ２は、図５（ａ）に示す如く、誘導コイル５Ｂ１のコイル端Ｔ１、Ｔ２と誘導コイル５Ｂ２のコイル端Ｕ１、Ｕ２がそれぞれ交流電源２２に接続されている。そこで、導線が上方の面上で移送方向に対して平行な部分と導線が下方の面上で移送方向に対して平行な部分には、互いに逆向の交番電流が流れ、対称コの字状誘導コイル５Ｂが発生する磁界方向４３は、リング状熱間圧延線材Ｌの上方および下方の面上で、移送方向に対して９０°となる。
なお、誘導加熱方式の加熱装置における、誘導コイルの巻き数および誘導コイルに供給する電力は、加熱温度、加熱速度、線材の材質、線材の直径ｄ、コイル径Ｄ等により、適宜決めることができる。
上述した加熱装置の作用について、図６を用いて説明する。
【００２８】
図６（ａ）は、図３に示した加熱装置の誘導コイルへの電力供給方法を説明するグラフである。また、同図（ｂ）は、図３に示した加熱装置の作用の説明図である。同図（ｃ）は、同図（ｂ）に用いたリング周方向位置を表す角度αの定義図である。
【００２９】
上記の加熱装置を用いた場合の加熱方法は、リング状熱間圧延線材Ｌを、二つの誘導コイル５Ａ、５Ｂの隣接配置位置に順次搬送するに際し、図６（ａ）に示す如く、二つの誘導コイル５Ａ、５Ｂを使用状態とし、交番磁界によって生起される誘導電流によりリング状熱間圧延線材Ｌを誘導加熱する。先ず、リング状熱間圧延線材は、誘導コイル５Ａを通過する際に、磁界方向が移送方向と平行な第１の交番磁界中を通過する。次いで誘導コイル５Ｂを通過する際に、磁界方向が移送方向と直交する第２の交番磁界中を通過する。その際、図６（ｂ）に示す如く、リング状熱間圧延線材Ｌには、二つの誘導コイル５Ａ、５Ｂの発生する磁界方向が互いに異なる交番磁界によってリング状熱間圧延線材Ｌのリング周方向にわたり、互いに補い合う誘導電流が生じる。この結果、この誘導電流によりリング状熱間圧延線材Ｌは、均一にかつ急速に再加熱される。
【００３０】
但し、図６（ｂ）は、上述した誘導コイルの配置位置にリング状熱間圧延線材Ｌを搬送したときに、リング周方向位置に生起される、リング周方向単位長さ当たりの誘導電流量の分布を示す模式図であり、実線（イ）は、一方側の誘導コイル５Ａによって生起されるリング周方向単位長さ当たりの誘導電流量を示し、破線（ロ）は、他方側の誘導コイル５Ｂによって生起されるリング周方向単位長さ当たりの誘導電流量を示す。２点鎖線（ハ）は、２つの誘導コイル５Ａ、５Ｂによりそれぞれ生起された誘導電流の合計量を示す。
【００３１】
ここで、一方側のソレノイド型誘導コイル５Ａの作用について詳述する。リング状熱間圧延線材Ｌに対して、上下面からレノイド型誘導コイル５Ａにより磁界方向４２の交番磁界が与えられると、これに対応する誘導電流（渦電流とも称され、この渦電流は、線材の長さ方向直角断面で見て、線材の周方向を周回するように流れる）が生起されるが、渦電流の浸透深さに対して線材の直径が細い場合、線材の軸方向と磁界方向４２が近いリング部分（図６（ｃ）に示すリング周方向位置を表す角度α（α：リング周方向位置Ｑにおける外向き法線と移送方向とのなす角α＝９０°、２７０°…に近い部分）には誘導電流が多く流れるものの、線材の軸方向が磁界方向４２に対してなす角度が９０°である部分（すなわち、上記のリング周方向位置を表す角度α＝０、１８０°、３６０°…の部分）には、誘導電流が生起されない。従って、ソレノイド型誘導コイル５Ａを一つ用いただけでは、リング状熱間圧延線材Ｌを均一に再加熱することができないことがわかった。このため本発明では、一方側の誘導コイル５Ａによって生起される誘導電流を他方側の誘導コイル５Ｂによって生起される誘導電流により補い、リング周方向全長にわたって発熱量を均一としたのである。
【００３２】
上述したように実施例の形態に係るリング状熱間圧延線材の加熱装置によれば、リング状熱間圧延線材Ｌを急速にかつ均一に再加熱することができ、従来のラジアントチューブあるいは電気ヒータなどを用いた間接加熱方式の加熱装置に比べて、短時間で所定の加熱温度に再加熱することができるから、熱処理ライン長を短縮することができる。
【００３３】
但し、本発明の実施例の形態に係るリング状熱間圧延線材の加熱装置としては、図３に示した２つの誘導コイルに代わり、図７に示すような２つの誘導コイル５Ａ’、５Ｂ’を移送方向に隣接して配置した装置とすることもできる。
【００３４】
図７（ａ）は平面図、同図（ｂ）は、Ｘ３−Ｘ３断面図、同図（ｃ）はＸ４−Ｘ４断面図である。θ１は、一方側の誘導コイル５Ａ’がその内部に発生させる磁界方向４４と移送方向とのなす角を示し、θ２は、他方側の誘導コイル５Ｂ’ がその内部に発生させる磁界方向４５と移送方向とのなす角を示す。
【００３５】
一方側の誘導コイル５Ａ’および他方側の誘導コイル５Ｂ’は、導線を曲げてコイル内をリング状熱間圧延線材Ｌが通過可能なように成形され、それぞれリング状熱間圧延線材Ｌの上方および下方の面上で、導線が移送方向に対して４５°をなし、かつ互いに反対方向に傾斜させて巻いてある。この加熱装置は、一方側の誘導コイル５Ａ’のコイル端は、交流電源２３に接続され、他方側の誘導コイル５Ｂ’のコイル端は交流電源２４に接続され、交番電流を二つの誘導コイルに流すことができる。この加熱装置における作用効果は、図３に示した加熱装置の場合と同様であるので説明を省略する。
以上説明した本発明の実施の形態に係るリング状熱間圧延線材の加熱装置を、図１、図２に示した線材熱処理ラインに適用することにより、軟化焼鈍処理あるいは炭化物の球状化焼鈍処理を行うことができる。このような熱処理を施した再加熱線材は、例えば、高圧縮率で冷間加工される部品に好適に使用することができる。
なお、上述した実施形態では、リング状熱間圧延線材の加熱装置および加熱方法に、本発明を適用した例を示したが、本発明はこれに限定されず、リング状の線材を搬送中に加熱する場合には好適に用いることができる。
【実施例】
【００３６】
図１、２に示した線材の圧延ラインを用いて、規格JIS SCM415（Ｃ：0.15mass%、Si：0.20mass%、Mn：0.30mass%、Ｐ：0.01mass%、Ｓ：0.01mass%、Cr：1.1mass%、Mo：0.18mass%、残部Feおよび不可避的不純物）を直径4.0mmφに仕上圧延した後、冷却帯２にて 650℃まで冷却し、ついで、巻取装置３でコイル径Ｄが1000mm、移送方向のずれ量が10mmのリング状熱間圧延線材とし、その後に加熱装置５を用いて加熱するにあたり、加熱装置として以下に示した４種類の加熱装置を用いた。
【００３７】
［発明例］
加熱方式：誘導加熱
誘導コイル配置：誘導コイル５Ａ、５Ｂを移送方向に連設（図３参照）
加熱装置の移送方向全長：８ｍ
リング状熱間圧延線材の通過時間：１５秒
供給電力：誘導コイル５Ａ、５Ｂに、それぞれ８００ｋＷの電力を常時供給
［比較例１］
加熱方式：誘導加熱
誘導コイル配置：誘導コイル５Ａを単独で配置（図４参照）
加熱装置の移送方向全長：８ｍ
リング状熱間圧延線材の通過時間：１５秒
供給電力：常時８００ｋＷ
［比較例２］
加熱方式：誘導加熱
誘導コイル配置：誘導コイル５Ｂを単独で配置（図５参照）
加熱装置の移送方向全長：８ｍ
リング状熱間圧延線材の通過時間：１５秒
供給電力：常時８００ｋＷ
［比較例３］
加熱方式：電気ヒータによる炉加熱
設定炉温度：８００℃
加熱炉の移送方向全長：８ｍ
リング状熱間圧延線材の通過時間：１５秒
供給電力：常時８００ｋＷ
そして、加熱装置出側における鋼材温度を放射温度計により測定した。放射温度計はリング状熱間圧延線材のライン幅方向中央部（図６（ｃ）においてα＝０oとなる位置）、ライン幅方向端部（図６（ｃ）においてα＝９０oとなる位置）、および、ライン幅方向中央から３５３mm幅方向にずらした位置（図６（ｃ）においてα＝４５oとなる位置）の温度を測定できるように配置した。ライン幅方向中央部とライン幅方向端部の測定結果を表１に示す。
【００３８】
【表１】
2005120434.tif 000003
【００３９】
表１に示す結果から、本発明の加熱装置によればリング状線材を周方向に均一に加熱することが可能となる。
【００４０】
これに対し、比較例１は誘導コイルにより発生する交番磁界の磁界方向がリング状線材の移送方向のみであるため、リング状線材のライン幅方向中央部が加熱されなかった。また、比較例２は、誘導コイルにより発生する交番磁界の磁界方向がリング状線材の移送方向と直角な方向のみであるため、リング状線材のライン幅方向端部が加熱されなかった。また、比較例３の電気ヒータによる炉加熱の場合には、昇温速度が遅いため１５秒間ではリング状線材の温度上昇がほとんど認められなかった。
【００４１】
なお、上記の発明例においては、リング状線材の移送方向に磁界を発生させる誘導コイル５Ａと、移送方向に直角な方向に磁界を発生させる誘導コイル５Ｂとの２つの誘導コイルを移送方向に連設したが、本発明はこれに限定されず、例えば誘導コイルを３つとして、それぞれ磁界の発生させる方向を６０oづつずらすようにし、これらの誘導コイルに対し順次リング状線材を通過させるようにしてもよい。
【００４２】
また、上記の発明例においては、誘導コイル５Ａ、誘導コイル５Ｂを各１台づつとしたが、それぞれを複数台づつとし、誘導コイル５Ａと誘導コイル５Ｂとを搬送方向に沿って交互に配置するようにしてもよい。
【図面の簡単な説明】
【００４３】
【図１】本発明の実施例の形態に係るリング状熱間圧延線材の加熱装置を適用した線材熱処理ラインの説明図である。
【図２】図１に示す線材熱処理ラインの要部を示す縦断面模式図である。
【図３】本発明の実施例の形態に係るリング状熱間圧延線材の加熱装置の構成を示す概略図である。
【図４】（ａ）は、図３に示した一方側の誘導コイルを上から見た場合の概略平面図、（ｂ）は、そのＸ１−Ｘ１断面図である。
【図５】（ａ）は、図３に示した他方側の誘導コイルを上から見た場合の概略平面図、（ｂ）は、そのＸ２−Ｘ２断面図である。
【図６】図３に示した加熱装置の作用の説明図である。
【図７】図３に示した加熱装置に代わる他の加熱装置の構成を示す概略図であって、（ａ）は平面図、（ｂ）は、Ｘ３−Ｘ３断面図、（ｃ）はＸ４−Ｘ４断面図である。
【図８】（ａ）は、リング状熱間圧延線材Ｌの形状を示す平面図であり、（ｂ）はその説明図である。
【図９】（ａ）は、コイル状熱間圧延線材Ｍの形状を示す正面図、（ｂ）は、線材の断面図である。
【符号の説明】
【００４４】
Ｌ  リング状熱間圧延線材
Ｍ（Ｍ１、Ｍ２、Ｍ３、Ｍ４…Ｍｎ）  コイル状熱間圧延線材
Ｄ  コイル径
ｄ  線材の直径
Ｄ’  リング状熱間圧延線材Ｌの移送幅
１  仕上圧延機
２  冷却帯
３  巻取装置
４  搬送コンベア（搬送装置）
４Ａ  搬送コンベア４の搬送ローラ
５  加熱装置
６  集束装置
７  トラバース装置
８  トンネル型徐冷炉
９  取り出し室
５Ａ、５Ａ’  一方側の誘導コイル
５Ｂ、５Ｂ’  他方側の誘導コイル
Ｓ１、Ｓ２、Ｔ１、Ｔ２、Ｕ１、Ｕ２  コイル端
２１、２２、２３、２４  交流電源
４１  リング状熱間圧延線材の仮想中心線
４２、４３、４４、４５  磁界方向
【図１】
2005120434.tif 000004
【図２】
2005120434.tif 000005
【図３】
2005120434.tif 000006
【図４】
2005120434.tif 000007
【図５】
2005120434.tif 000008
【図６】
2005120434.tif 000009
【図７】
2005120434.tif 000010
【図８】
2005120434.tif 000011
【図９】
2005120434.tif 000012